(57)【要約】【課題】沸上回路70の沸上用往き経路71と沸上用戻り経路72とが逆接続状態にあることを短時間で判定できる給湯装置11を提供する。【解決手段】沸上運転開始時に、ヒートポンプユニット75および沸上回路70の沸上用循環ポンプ77を運転させ、沸上運転開始から所定時間経過した後に、追焚回路49の追焚用循環ポンプ47を運転させる。追焚回路49の給湯温度検知センサ41で検知する湯の温度が所定の沸上温度以上にあれば、沸上回路70の沸上用往き経路71と沸上用戻り経路72とが正常に接続されていると判定する。追焚回路49の給湯温度検知センサ41で検知する湯の温度が所定の沸上温度より低ければ、沸上回路70の沸上用往き経路71と沸上用戻り経路72とが逆接続状態にあると判定する。【選択図】図１
2009109093.tif 000002
【特許請求の範囲】
【請求項１】
湯を貯湯する貯湯タンクと、
前記湯を沸き上げるヒートポンプユニットと、
前記貯湯タンクの下部と前記ヒートポンプとを接続する沸上用往き経路、前記ヒートポンプユニットと前記貯湯タンクの上部とを接続する沸上用戻り経路、前記貯湯タンクの下部の水を沸上用往き経路から前記ヒートポンプユニットおよび沸上用戻り経路を経由して前記貯湯タンクの上部に戻す方向に循環させる沸上用循環ポンプを有する沸上回路と、
前記貯湯タンクの上部から湯を取り出す取出経路、この取出経路で取り出された湯を熱負荷側と熱交換する熱負荷用熱交換器、この熱負荷用熱交換器を通過した湯を前記貯湯タンクに戻す取入経路、前記貯湯タンクの湯を取出経路から熱負荷用熱交換器および取入経路を経由して前記貯湯タンクに戻す方向に循環させる熱負荷用循環ポンプ、および前記取出経路に取り出される湯の温度を検知する給湯温度検知手段を有する熱負荷回路と、
沸上運転開始時に前記ヒートポンプユニットおよび前記沸上回路の沸上用循環ポンプを運転させ、その沸上運転開始から所定時間経過した後に前記熱負荷回路の熱負荷用循環ポンプを運転させ、前記熱負荷回路の給湯温度検知手段で検知する湯の温度が所定の沸上温度より低ければ前記沸上回路の沸上用往き経路と沸上用戻り経路とが逆接続状態にあると判定する制御部と
を具備していることを特徴とする給湯装置。
【請求項２】
貯湯タンクの複数の高さ位置に設けられ、この貯湯タンク内の残湯量を検知する複数の残湯量検知手段を具備し、
制御部により熱負荷回路の熱負荷用循環ポンプの運転を開始させる沸上運転開始からの所定時間は、沸上回路の沸上用往き経路と沸上用戻り経路との接続が正常な場合に前記最上部の残湯量検知手段で前記貯湯タンクの上部側に貯湯された湯を検知するのに要する時間よりも短い時間である
ことを特徴とする請求項１記載の給湯装置。
【発明の詳細な説明】
【技術分野】
【０００１】
本発明は、貯湯タンクに貯湯する湯の沸き上げにヒートポンプユニットを用いた給湯装置に関する。
【背景技術】
【０００２】
従来、貯湯タンクに貯湯する湯を沸き上げるのにヒートポンプを用いた給湯装置では、沸上運転時において、貯湯タンクの下部から水を取り出してヒートポンプユニットで所定の沸上温度に沸き上げるとともに沸き上げた湯を貯湯タンクの上部に取り入れるように沸上用循環ポンプによって循環させることにより、温度の異なる湯と水との比重差で、貯湯タンクの上部側の湯と下部側の水との間に形成される湯と水の混合層を介して、湯が水と混合せずに貯湯タンク内の上部側から順に貯湯される。
【０００３】
貯湯タンクに貯湯された湯は、貯湯タンクの上部から取り出して給湯に利用されるとともに、浴槽に湯張りした浴槽水の追い焚きや暖房などの熱負荷に対する熱源としても利用される。
【０００４】
また、貯湯タンクとヒートポンプユニットとは別置きで設置され、これらの間において、貯湯タンクの下部とヒートポンプとを接続する沸上用往き経路と、ヒートポンプユニットと貯湯タンクの上部とを接続する沸上用戻り経路とを接続して沸上回路を構成している。そして、ヒートポンプユニットに配設された沸上用循環ポンプによって、貯湯タンクの下部の水を沸上用往き経路からヒートポンプユニットおよび沸上用戻り経路を経由して貯湯タンクの上部に戻す方向に循環させることにより、正常な沸上運転が可能となっている。
【０００５】
しかしながら、給湯装置の設置時において、沸上用往き経路の配管と沸上用戻り経路の配管とを逆接続してしまう場合がある。特に、貯湯タンクとヒートポンプユニットとを接続する沸上用往き経路および沸上用戻り経路の各配管が地中やコンクリートなどに埋設されている場合などには発生しやすい。
【０００６】
給湯装置の設置後の試運転で、沸上運転を行った場合、沸上用往き経路の配管と沸上用戻り経路の配管とを逆接続していると、ヒートポンプユニットは、貯湯タンクの上部から湯を取り出して沸き上げ、この沸き上げた湯を貯湯タンクの下部に戻すように循環させるため、貯湯タンクの下部に戻された湯で貯湯タンク内全体の水が温められるだけで、所定の沸上温度の湯を貯湯タンクの上部側から順に貯湯させることができない。
【０００７】
そこで、沸上用往き経路の配管と沸上用戻り経路の配管とを逆接続していることを検知する方法として、貯湯タンク内の残湯量を検知する複数の残湯量検知センサを利用し、最上部の例えば残湯量６０リットルを検知する残湯量検知センサで検知する温度が所定時間内に所定の沸上温度になるかどうかに基づいて判定することができる。
【０００８】
しかし、ヒートポンプユニットによる沸上流量は毎分１リットル程度であるため、最上部の例えば残湯量６０リットルを検知する残湯量検知センサを利用しても、逆接続を判定するのに１時間以上の時間がかかってしまう。
【０００９】
また、沸上用往き経路に給水温度検知センサを、沸上用戻り経路に沸上温度検知センサをそれぞれ設け、逆接続であると、ヒートポンプユニットで沸き上げられた湯を給水温度検知センサで検知するために、給水温度検知センサで検知する温度が沸上温度検知センサで検知する温度よりも所定温度以上高くなることで、逆接続状態にあると判定するものがある。
【００１０】
ただし、給水温度検知センサは、沸上運転時に、沸上完了近くなって貯湯タンク内の下部側に達した湯が沸上用往き経路に取り出され、この所定温度以上の湯を検知することで沸上完了を判定するのに用いているため、沸上完了と誤検知してしまうおそれがある。そのため、残湯量検知センサによる検知を併用し、逆接続を判定している（例えば、特許文献１参照。）。
【特許文献１】特許第３９６９３８３号公報（第５−６頁、図１−５）
【発明の開示】
【発明が解決しようとする課題】
【００１１】
上述のように、従来の給湯装置では、沸上用往き経路の配管と沸上用戻り経路の配管とを逆接続を判定するのに時間かかかる問題がある。
【００１２】
本発明は、このような点に鑑みなされたもので、沸上回路の沸上用往き経路と沸上用戻り経路とが逆接続状態にあることを短時間で判定できる給湯装置を提供することを目的とする。
【課題を解決するための手段】
【００１３】
請求項１記載の給湯装置は、湯を貯湯する貯湯タンクと、前記湯を沸き上げるヒートポンプユニットと、前記貯湯タンクの下部と前記ヒートポンプとを接続する沸上用往き経路、前記ヒートポンプユニットと前記貯湯タンクの上部とを接続する沸上用戻り経路、前記貯湯タンクの下部の水を沸上用往き経路から前記ヒートポンプユニットおよび沸上用戻り経路を経由して前記貯湯タンクの上部に戻す方向に循環させる沸上用循環ポンプを有する沸上回路と、前記貯湯タンクの上部から湯を取り出す取出経路、この取出経路で取り出された湯を熱負荷側と熱交換する熱負荷用熱交換器、この熱負荷用熱交換器を通過した湯を前記貯湯タンクに戻す取入経路、前記貯湯タンクの湯を取出経路から熱負荷用熱交換器および取入経路を経由して前記貯湯タンクに戻す方向に循環させる熱負荷用循環ポンプ、および前記取出経路に取り出される湯の温度を検知する給湯温度検知手段を有する熱負荷回路と、沸上運転開始時に前記ヒートポンプユニットおよび前記沸上回路の沸上用循環ポンプを運転させ、その沸上運転開始から所定時間経過した後に前記熱負荷回路の熱負荷用循環ポンプを運転させ、前記熱負荷回路の給湯温度検知手段で検知する湯の温度が所定の沸上温度より低ければ前記沸上回路の沸上用往き経路と沸上用戻り経路とが逆接続状態にあると判定する制御部とを具備しているものである。
【００１４】
請求項２記載の給湯装置は、請求項１記載の給湯装置において、貯湯タンクの複数の高さ位置に設けられ、この貯湯タンク内の残湯量を検知する複数の残湯量検知手段を具備し、制御部により熱負荷回路の熱負荷用循環ポンプの運転を開始させる沸上運転開始からの所定時間は、沸上回路の沸上用往き経路と沸上用戻り経路との接続が正常な場合に前記最上部の残湯量検知手段で前記貯湯タンクの上部側に貯湯された湯を検知するのに要する時間よりも短い時間であるものである。
【発明の効果】
【００１５】
請求項１記載の給湯装置によれば、沸上運転開始時に、ヒートポンプユニットおよび沸上回路の沸上用循環ポンプを運転させ、その沸上運転開始から所定時間経過した後に、熱負荷回路の熱負荷用循環ポンプを運転させ、熱負荷回路の給湯温度検知手段で検知する湯の温度が所定の沸上温度より低ければ、沸上回路の沸上用往き経路と沸上用戻り経路とが逆接続状態にあると判定できるため、従来よりも短時間で逆接続を判定できる。
【００１６】
請求項２記載の給湯装置によれば、請求項１記載の給湯装置の効果に加えて、制御部により熱負荷回路の熱負荷用循環ポンプの運転を開始させる沸上運転開始からの所定時間は、沸上回路の沸上用往き経路と沸上用戻り経路との接続が正常な場合に前記最上部の残湯量検知手段で前記貯湯タンクの上部側に貯湯された湯を検知するのに要する時間よりも短い時間であり、従来よりも短時間で逆接続を判定できる。
【発明を実施するための最良の形態】
【００１７】
以下、本発明の一実施の形態を、図面を参照して説明する。
【００１８】
図２および図３に示すように、給湯装置11は、本体ユニット12と、湯を沸き上げるための室外機13とを備え、浴槽14に張った浴槽水の追焚機能を有している。
【００１９】
本体ユニット12は、湯を貯湯する貯湯タンク17を有し、この貯湯タンク17には、貯湯タンク17の上部位置と、貯湯タンク17の上部から容量に対応した１／５位置、２／５位置、３／５位置、４／５位置と、貯湯タンク17の下部位置とに、貯湯タンク17内の湯水温度を検知する温度検知手段としてのサーミスタなどの温度検知センサ18a〜18fがそれぞれ配設されている。上部の温度検知センサ18aを除く、１／５位置、２／５位置、３／５位置、４／５位置および下部位置の温度検知センサ18b〜18fは、貯湯タンク17内の残湯量を検知する残湯量検知手段として機能する。
【００２０】
貯湯タンク17の下部には、水道管などの給水源に配管される給水経路20が接続されている。この給水経路20には、給水圧力を減圧する減圧弁21、逆流を規制する逆止弁22が配設されている。
【００２１】
貯湯タンク17の上部に上部取出経路25が接続され、貯湯タンク17の上下方向中間位置であって１／５位置の温度検知センサ18bと２／５位置の温度検知センサ18cとの間に中間部取出経路26が接続されている。中間部取出経路26には貯湯タンク17の中間部から湯を取り出す方向にのみ湯の流れを許容する逆止弁27が配設されている。これら上部取出経路25と中間部取出経路26とは取出比率調整手段としての電動弁である調整弁28に接続され、この調整弁28により、上部取出経路25から取り出す貯湯タンク17の上部の湯と中間部取出経路26から取り出す貯湯タンク17の中間部の湯との混合比率を調整して取り出す。この調整弁28で調整可能とする混合比率には、いずれか一方が１００％、他方が０％の場合も含まれる。調整弁28には取り出された湯を給湯する給湯経路29が接続されている。給湯経路29には湯の温度を検知する取出温度検知手段としての取出温度検知センサ30が配設されている。そして、これら上部取出経路25、中間部取出経路26、調整弁28、給湯経路29によって、貯湯タンク17から湯を取り出す取出経路31が形成されている。
【００２２】
また、給湯経路29（取出経路31）と給水経路20とが給湯用の湯温調整手段としての混合弁34および浴槽用の湯温調整手段としての混合弁35にそれぞれ接続されている。これら混合弁34，35は、給湯経路29（取出経路31）からの湯と給水経路20からの水とを混合して所定温度の湯を給湯する。これら混合弁34，35で調整可能とする混合比率には、いずれか一方が１００％、他方が０％の場合も含まれる。これら混合弁34，35に接続される給湯経路29および給水経路20には、給湯経路29側および給水経路20側への逆流を規制する逆止弁36，37がそれぞれ配設されている。
【００２３】
給湯用の混合弁34は、例えば台所などに設置されるメインリモコンや浴室に設置される浴室リモコン等によりそれぞれ設定される給湯設定温度の湯を供給する。この給湯用の混合弁34には所定の給湯場所に給湯する給湯路38が接続され、この給湯路38には流量を測定する流量センサ39および給湯温度を検知する給湯温度検知センサ40が配設されている。
【００２４】
浴槽用の混合弁35は、例えば台所などに設置されるメインリモコンや浴室に設置される浴室リモコン等によりそれぞれ設定される湯張り設定温度の湯を供給したり、浴室リモコンによる追い焚き操作時に浴槽水の追い焚き能力に応じた温度の湯を供給する。
【００２５】
給湯経路29（取出経路31）の混合弁35の配設箇所より下流側には、給湯温度検知手段としてのサーミスタなどの給湯温度検知センサ41が配設され、さらに、浴槽14に給湯する浴槽用給湯経路42が接続されている。この浴槽用給湯経路42には流路を開閉する浴槽用給湯手段としての給水電磁弁などを備えたホッパ43が配設されている。
【００２６】
また、給湯経路29（取出経路31）の混合弁35の設置箇所より下流側には、上流側への逆流を規制する逆止弁44、および熱負荷側である浴槽14の浴槽水と熱交換する熱負荷用熱交換器としての追焚用熱交換器45を介して、この追焚用熱交換器45を通過した湯を貯湯タンク17に戻す取入経路46が接続されている。この取入経路46は、貯湯タンク17の上下方向中間位置であって３／５位置の温度検知センサ18dと４／５位置の温度検知センサ18eとの間に接続されている。この取入経路46には、貯湯タンク17から取出経路31を通じて湯を取り出すとともに追焚用熱交換器45を通過した湯を取入経路46を経て貯湯タンク17に戻すように湯を循環させる熱負荷用循環ポンプとしての追焚用循環ポンプ47が配設されている。
【００２７】
そして、取出経路31および取入経路46によって熱負荷用循環路としての追焚用循環路48が形成され、この追焚用循環路48、追焚用熱交換器45および追焚用循環ポンプ47を含めて熱負荷回路としての追焚回路49が形成されている。
【００２８】
また、追焚用熱交換器45と浴槽14とが浴槽用循環経路54によって接続されている。この浴槽用循環経路54は、浴槽14の浴槽水を取り込んで追焚用熱交換器45に導く戻り配管55、追焚用熱交換器45を通過した浴槽水を浴槽14に導く往き配管56を有している。戻り配管55には、浴槽14から取り込んだ浴槽水の温度を検知するサーミスタなどの浴槽水温度検知センサ57、浴槽14の水位を検知する圧力センサ58、浴槽14への自動湯張り時に流路を切り換えるための切換弁59、浴槽水を循環させる浴槽用循環ポンプ60、浴槽水の循環を検知するフロースイッチ61が配設されている。往き配管56には、浴槽14に導入する浴槽水の温度を検知するサーミスタなどの追焚温度検知センサ62が配設されている。
【００２９】
切換弁59には浴槽用給湯経路42が接続され、浴槽用給湯経路42から給湯される湯を戻り配管55の１管、または戻り配管55と往き配管56との２管を通じて浴槽14に給湯可能になっている。
【００３０】
また、貯湯タンク17の上部取出経路25には、沸上時の過剰な圧力を逃す逃し弁65が接続され、この逃し弁65は排水経路66に接続されている。貯湯タンク17の下部と排水経路66との間は、貯湯タンク17内の水を排水する排水バルブ67を介して接続されている。
【００３１】
また、貯湯タンク17側と室外機13とが沸上用循環路70aを有する沸上回路70によって接続されている。この沸上回路70の沸上用循環路70aは、貯湯タンク17の下部と室外機13の入口側とを接続する沸上用往き経路71、室外機13の出口側と貯湯タンク17の上部とを接続する沸上用戻り経路72を有している。
【００３２】
また、室外機13には、湯を沸き上げるヒートポンプユニット75が配設されている。このヒートポンプユニット75は、圧縮機、凝縮器として機能する沸上用熱交換器76、膨張弁、蒸発器等で構成される冷媒回路を有している。このヒートポンプユニット75の沸上用熱交換器76に沸上回路70が接続されている。このヒートポンプユニット75の沸上用熱交換器76の上流側に、貯湯タンク17の下部の水を沸上用往き経路71側から沸上用戻り経路72側に循環させる沸上用循環ポンプ77が配設されている。
【００３３】
また、給湯装置11は、この給湯装置11を制御する制御部81を備えている。この制御部81は、給湯装置11の設置後の試運転時、つまり電源投入後の最初の沸上運転開始時に、ヒートポンプユニット75および沸上回路70の沸上用循環ポンプ77を運転させ、その沸上開始から所定時間経過した後に、追焚回路49の追焚用循環ポンプ47を運転させ、追焚回路49の給湯温度検知センサ41で検知する湯の温度が所定の沸上温度より低ければ、沸上回路70の沸上用往き経路71と沸上用戻り経路72とが逆接続状態にあると判定する機能を有している。
【００３４】
制御部81により沸上回路70の沸上用循環ポンプ77の運転を開始させる沸上運転開始からの所定時間は、沸上回路70の沸上用往き経路71と沸上用戻り経路72との接続が正常な場合に残湯量を検知する最上部の１／５位置の温度検知センサ18bで貯湯タンク17の上部側に貯湯された湯を検知するのに要する時間（１時間程度）よりも短い時間であり、例えば１５分程度に設定される。
【００３５】
次に、本実施の形態の作用を説明する。
【００３６】
まず、ヒートポンプユニット75を利用した貯湯タンク17への湯の貯湯動作について説明する。ここでは、沸上回路70の沸上用往き経路71と沸上用戻り経路72とが正常に接続されているものとする。
【００３７】
図２の配管経路の黒表示、および矢印にて示すように、特定の沸上時間帯として例えば時間帯別電灯制度の夜間時間帯において、室外機13のヒートポンプユニット75および沸上用循環ポンプ77を運転させる。沸上用循環ポンプ77の運転により、貯湯タンク17の下部の水を沸上用往き経路71から取り出してヒートポンプユニット75に送り、このヒートポンプユニット75で所定の沸上温度に沸き上げた湯を沸上用戻り経路72から貯湯タンク17の上部に戻し、貯湯タンク17の上部側から予め設定された湯量または貯湯タンク17の全量分の湯を貯湯する。
【００３８】
次に、給湯動作について説明する。
【００３９】
給湯路38の下流側に配設される給湯栓等を開くことにより、給水圧力により貯湯タンク17内の湯を押し出し、上部取出経路25、中間部取出経路26、調整弁28および給湯経路29を通じて貯湯タンク17から取り出される湯と給水経路20から給水される水とを給湯用の混合弁34で混合して給湯設定温度の湯とし、この湯を給湯路38から給湯する。給湯経路29に取り出す湯は、調整弁28により、上部取出経路25から取り出す貯湯タンク17の上部の湯と中間部取出経路26から取り出す貯湯タンク17の中間部の湯との混合比率を調整して取り出す。
【００４０】
次に、浴槽14の利用について説明する。
【００４１】
浴槽14に湯張りする場合には、ホッパ43の給水電磁弁を開くことにより、給水圧力により貯湯タンク17内の湯を押し出し、上部取出経路25、中間部取出経路26、調整弁28および給湯経路29を通じて貯湯タンク17から取り出される湯と給水経路20から給水される水とを浴槽用の混合弁35で混合して湯張り設定温度の湯とし、この湯を供給し、浴槽用給湯経路42およびこの浴槽用給湯経路42の一部を構成する浴槽用循環経路54を通じて浴槽14に給湯する。浴槽14に湯張りする場合、切換弁59で戻り配管55と往き配管56との２管に湯が流れるように切り換えることにより、所定量の湯を迅速に給湯して湯張りできる。なお、浴槽14に湯張りする場合、切換弁59で往き配管56の１管のみに湯が流れるように切り換え、戻り配管55の圧力センサ58で水位を監視しながら給湯することにより、浴槽14の湯の水位が設定水位に正確に一致するように湯張りできる。また、給湯経路29に取り出す湯は、調整弁28により、上部取出経路25から取り出す貯湯タンク17の上部の湯と中間部取出経路26から取り出す貯湯タンク17の中間部の湯との混合比率を調整して取り出す。
【００４２】
そして、浴槽14に湯張りした後は、所定時間毎に、浴槽用循環ポンプ60を作動させて浴槽14の浴槽水を浴槽用循環経路54内に循環させ、浴槽水温度検知センサ57で浴槽水の温度を検知し、保温の必要つまり追い焚き動作の必要があるか監視する。
【００４３】
また、浴槽水の温度が設定温度よりも低下した際には自動的に追い焚き動作し、また、浴槽リモコンなどの手動操作によっても追い焚き動作する。
【００４４】
追い焚き動作では、図３の配管経路の黒表示、および破線矢印にて示すように、まず、浴槽用循環ポンプ60を運転させ、浴槽水を浴槽用循環経路54内に取り込んで追焚用熱交換器45に循環させる。その状態で、追焚用循環ポンプ47を運転させることにより、貯湯タンク17内の湯を、上部取出経路25、中間部取出経路26、調整弁28、給湯経路29（取出経路31）を通じて取り出して追焚用熱交換器45に送り込み、この追焚用熱交換器45で貯湯タンク17からの湯と浴槽14からの浴槽水とで熱交換させ、この熱交換により温度上昇した浴槽水を浴槽14に戻し、浴槽14内の湯温を上昇させる。なお、給湯経路29（取出経路31）に取り出す湯は、調整弁28により、上部取出経路25から取り出す貯湯タンク17の上部の湯と中間部取出経路26から取り出す貯湯タンク17の中間部の湯との混合比率を調整して取り出す。
【００４５】
さらに、追焚用熱交換器45を通過して温度低下した貯湯タンク17からの湯は、取入経路46を通じて貯湯タンク17に戻す。
【００４６】
次に、沸上回路70の沸上用往き経路71と沸上用戻り経路72とが逆接続状態にあるか否かの判定について説明する。
【００４７】
給湯装置11の設置時に、室外機13のヒートポンプユニット75の沸上用往き経路71の配管および沸上用戻り経路72の配管を、本体ユニット12の貯湯タンク17側と接続する。
【００４８】
給湯装置11の設置後の試運転時、つまり電源投入後の最初の沸上運転開始時に、室外機13のヒートポンプユニット75および沸上用循環ポンプ77を運転させる。
【００４９】
このとき、沸上回路70の沸上用往き経路71と沸上用戻り経路72との接続が正常であれば、図２の配管経路の黒表示、および実線矢印にて示すように、沸上用循環ポンプ77の運転により、貯湯タンク17の下部の水を沸上用往き経路71から取り出してヒートポンプユニット75に送り、このヒートポンプユニット75で所定の沸上温度に沸き上げた湯を沸上用戻り経路72から貯湯タンク17の上部に戻し、貯湯タンク17の上部側から所定の沸上温度の湯を貯湯する。
【００５０】
一方、沸上回路70の沸上用往き経路71と沸上用戻り経路72とが逆接続された状態にあると、図１の配管経路の黒表示、および実線矢印にて示すように、沸上用循環ポンプ77の運転により、貯湯タンク17の上部の水を沸上用戻り経路72から取り出してヒートポンプユニット75に送り、このヒートポンプユニット75で所定の沸上温度に沸き上げた湯を沸上用往き経路71から貯湯タンク17の下部に戻す。そのため、貯湯タンク17の下部に戻った湯は貯湯タンク17の下部の水と混ざり合って温度低下し、貯湯タンク17の上部側には所定の沸上温度の湯は貯湯されない。
【００５１】
そして、沸上回路70の沸上用往き経路71と沸上用戻り経路72との接続が正常な場合に残湯量を検知する最上部の１／５位置の温度検知センサ18bで貯湯タンク17の上部側に貯湯された湯を検知するのに要する時間（１時間程度）よりも短い時間であって、例えば１５分程度の所定時間経過後、図１の配管経路の黒表示、および破線矢印にて示すように、追焚回路49の追焚用循環ポンプ47を運転させ、貯湯タンク17の上部の湯を、上部取出経路25、調整弁28、給湯経路29（取出経路31）を通じて取り出すとともに、取入経路46を通じて貯湯タンク17の上下方向中間位置に戻すように、追焚回路49内を循環させる。
【００５２】
循環中は、追焚回路49に設けられている給湯温度検知センサ41で検知する湯の温度を監視し、検知した湯の温度が所定の沸上温度以上であれば、沸上回路70の沸上用往き経路71と沸上用戻り経路72との接続が正常であると判定する。
【００５３】
一方、検知した湯の温度が所定の沸上温度より低く、所定時間経過しても所定の沸上温度に達しない場合には、沸上回路70の沸上用往き経路71と沸上用戻り経路72とが逆接続状態にあると判定する。逆接続と判定した場合には、例えばリモコンの表示などで報知する。
【００５４】
このように、沸上運転開始時に、ヒートポンプユニット75および沸上回路70の沸上用循環ポンプ77を運転させ、その沸上運転開始から所定時間経過した後に、追焚回路49の追焚用循環ポンプ47を運転させ、追焚回路49の給湯温度検知センサ41で検知する湯の温度が所定の沸上温度より低ければ、沸上回路70の沸上用往き経路71と沸上用戻り経路72とが逆接続状態にあると判定できるため、従来よりも短時間で逆接続を判定できる。
【００５５】
特に、追焚回路49の追焚用循環ポンプ47の運転を開始させる沸上運転開始からの所定時間は、沸上回路70の沸上用往き経路71と沸上用戻り経路72との接続が正常な場合に残湯量を検知する最上部の１／５位置の温度検知センサ18bで貯湯タンク17の上部側に貯湯された湯を検知するのに要する時間（１時間程度）よりも短い時間であり、従来よりも短時間で逆接続を判定できる。
【００５６】
また、逆接続の検知には、機構上、既存の追焚回路49を利用でき、他の部品などの追加がなく、コストアップを抑制できる。例えば、ヒートポンプユニット75で沸き上げられた湯が流れる方向を検知するために、沸上用往き経路71と沸上用戻り経路72とに温度検知センサを追加する必要がない。
【００５７】
なお、この逆接続の検知は、給湯装置11の設置後の試運転時、つまり電源投入後の最初の沸上運転時にのみに行えばよい。
【００５８】
また、熱負荷回路の熱負荷用熱交換器で貯湯タンク17の湯と熱交換する熱負荷としては、浴槽14の浴槽水の追い焚きに限らず、床暖房などの温水暖房する場合にも適用できる。
【図面の簡単な説明】
【００５９】
【図１】本発明の一実施の形態を示す給湯装置の沸上回路の沸上用往き経路と沸上用戻り経路とが逆接続状態にある構成図である。
【図２】同上給湯装置が正常接続されている場合の沸上運転を示す構成図である。
【図３】同上給湯装置が正常接続されている場合の追焚運転を示す構成図である。
【符号の説明】
【００６０】
11    給湯装置
17    貯湯タンク
18b〜18f    残湯量検知手段としての温度検知センサ
31    取出経路
41    給湯温度検知手段としての給湯温度検知センサ
45    熱負荷用熱交換器としての追焚用熱交換器
46    取入経路
47    熱負荷用循環ポンプとしての追焚用循環ポンプ
49    熱負荷回路としての追焚回路
70    沸上回路
71    沸上用往き経路
72    沸上用戻り経路
75    ヒートポンプユニット
77    沸上用循環ポンプ
81    制御部
【図１】
2009109093.tif 000003
【図２】
2009109093.tif 000004
【図３】
2009109093.tif 000005